(57)【要約】      （修正有）【課題】切断、貼付加工が容易で、悪臭・不快臭・化学物質の吸着分解等の室内環境改善が可能で、高断熱効果があり、更に廃棄の際には再利用が可能な遮熱シートを提供する。【解決手段】アルミニウムシート１又はアルミニウム箔１に支持シート２と不織布４を積層し、さらに炭粉体を含有する塗料組成物層６をこの順に配置した遮熱シート。支持シートと不織布がポリエチレン樹脂であること、塗料組成物がポリアミド樹脂塗料に炭粉体が配合されたものであることが好ましい。【効果】この遮熱シートは１枚で、従来の断熱材では成し得なかった熱全体の７５％を占める輻射熱を防ぎ、暑さ、寒さの根源である熱線を反射し３０度の室温でも暑くない室内環境改善が可能になる。炭塗料の悪臭・不快臭・化学物質の吸着分解及び調湿等の効果を１枚の遮熱シートでできる。【選択図】図１
2008068465.tif 000002
【特許請求の範囲】
【請求項１】
アルミニウムシート又はアルミニウム箔に支持シートと不織布を積層し、さらに炭粉体を含有する塗料組成物層をこの順に配設したことを特徴とする遮熱シート。
【請求項２】
支持シートと不織布がポリエチレン樹脂であることを特徴とする請求項１記載の遮熱シート。
【請求項３】
塗料組成物がポリアミド樹脂塗料に炭粉体が配合されたものであることを特徴とする請求項１および請求項２に記載の遮熱シート。
【発明の詳細な説明】
【技術分野】
【０００１】
本発明は、建築分野、健康分野、環境分野等に使用されて遮熱、断熱、湿気の吸収、悪臭や不快臭の吸収分解除去、電磁波の吸収等で快適な環境を提供する遮熱シートに関するものである。
【背景技術】
【０００２】
近年、生活環境は産業の発展に伴って地球規模での汚染やエネルギーの大量使用に伴う温暖化現象を助長し、健康にも悪影響を及ぼすほど悪化している。身近な住環境も建築材や塗装等から発生する化学物質の増加も空気中のプラスイオンや悪臭・不快臭を増加させる要因となっている。また、現在の住宅は密閉性が高いため湿気がこもり結露もし易く上記要因と併せてアレルギー疾患の原因ともなっている。さらには、家電製品から発生する電磁波も空気中の物質をプラスイオン化させる傾向があり生活環境悪化の要因となっている。
【０００３】
そのため、一例として床下や室内に炭や乾燥剤や吸湿材等を散置して悪臭吸収や調湿に供したり、壁に炭を塗布したりして環境改善に努めている。しかしながら乾燥剤や吸湿材等は機能が単なる吸湿であって早期に飽和状態になるため頻繁な交換が必要になる。近年では炭塗料そのものが開発され、建築用として内壁、床下、天井裏、押入れ等に塗布して利用されている。炭塗料としてはポリアミド樹脂塗料に木炭粉末が配合された塗料組成物が提供されており、ナイロン樹脂の特性である透明性、透湿性、柔軟性と木炭粉末の特性である脱臭、調湿、空気浄化、電磁波吸収等の作用を併用することができるとして建築用の塗料に用いられている。
【特許文献１】特開平１１−２９７４２号  公報
【発明の開示】
【発明が解決しようとする課題】
【０００４】
しかしながら上記従来の構成では、炭塗料そのものの持つ悪臭・不快臭の吸着解消、調湿、室内環境改善等の特性を活かすために内壁、床下、天井裏、押入れ等に塗布しなければならないが、塗布作業に多大な手間と時間を要するといった課題を有していた。また予め断熱ボードに塗布しておき使用する際に切断して壁に配置する断熱材もあるが、断熱ボードとしては数センチの厚さがあるため切断の手間が生じると共に取り扱いに不便が生じるといった課題をも有していた。
【０００５】
本発明は上記従来の課題を解決するもので、炭塗料そのものの特性を十分に活かし、かつ取り扱いが極めて良好な遮熱シートを提供することを目的とする。
【課題を解決するための手段】
【０００６】
上記課題を解決するために本発明の遮熱シートは、アルミニウムシート又はアルミニウム箔に支持シートと不織布を積層し、さらに炭粉体を含有する塗料組成物層をこの順に配設した構成としたものである。したがって、炭塗料そのものの特性が十分に活かされつつ遮熱シートが極めて薄いため切断等の加工処理、保管・搬送等の取り扱いが極めて良好となる作用を有する。
【０００７】
また本発明の第２の遮熱シートは、支持シートと不織布をポリエチレン樹脂で構成したものである。したがって、不織布が支持シートに接着支持されて補強されるという作用を有する。さらにはポリエチレン樹脂は廃棄の際に溶解してアルミニウムと分別できるため、再利用に供されるという作用を有する。
【０００８】
さらに本発明の第３の遮熱シートは、塗料組成物がポリアミド樹脂塗料に炭粉体が配合された構成としたものである。したがって、シートに塗布し易く遮熱シートの製作が容易となる作用を有する。
【発明の効果】
【０００９】
本発明の遮熱シートは上記構成を備えたことにより、炭塗料組成物層を有する遮熱シートを極めて薄く形成できるため、内壁、床下、天井裏、押入れ等に簡単に切断加工して貼付することができ、作業が簡単に行えて空気中のプラスイオン吸着や悪臭・不快臭の吸着解消、吸湿による調湿等で空気の浄化ができ、さらには電磁波も吸収して室内環境が大幅に改善される。特にアルミニウムシート又はアルミニウム箔１が輻射熱に対して反射効率が高いので高断熱効果が得られる。また、支持シートと不織布をポリエチレン樹脂で構成したことにより、不織布が支持シートに接着支持されて補強されることになる。そしてこのポリエチレン樹脂は廃棄の際に溶解してアルミニウムと分別できるため、再利用に供することができる。さらに、炭塗料組成物が樹脂塗料に微細炭粉が混合されたものなのでシートに塗布し易く遮熱シートの製作が容易となるといったような多くの作用効果が得られる。
【発明を実施するための最良の形態】
【００１０】
以下本発明の一実施の形態について、図面を参照しながら説明する。図１は本発明の遮熱シートの断面図を示す。図１において、１はアルミニウムシート又はアルミニウム箔、２はポリエチレンテレフタレート（ＰＥＴ）樹脂よりなる支持シートで、接着剤３によってアルミニウムシート又はアルミニウム箔１に接着積層されている。４はポリエチレンテレフタレート（ＰＥＴ）樹脂より形成された不織布で上記した支持シート２に接着剤５によって接着支持され積層されている。６は樹脂塗料に炭粉末が配合された炭塗料組成物層で不織布４に塗布して設けられている。
【００１１】
上記構成よりなる遮熱シートは、厚さが０．２ｍｍ〜０．５ｍｍと極めて薄く形成されており、発泡系の断熱材料に比べて軽量かつ薄くアルミニウムシート又はアルミニウム箔の剛性によって広範な形状に切断・成形が容易となる特性を備えている。特にアルミニウムシート又はアルミニウム箔１が輻射熱に対して反射効率が高いので高断熱作用がある。
また、支持シート２はポリエチレンテレフタレート（ＰＥＴ）樹脂で成形されており、不織布が支持シートに接着支持されて補強されると共にアルミニウムシート又はアルミニウム箔１と一体化する仲立ちの役割りと電気伝導を防ぐ絶縁作用を有している。さらに、支持シート２と不織布４はポリエチレンテレフタレート（ＰＥＴ）樹脂が使用されているため、廃棄の際に溶解してアルミニウムと分別でき再利用に供することができる。
【００１２】
つぎに炭塗料組成物層６について説明する。まず塗料組成物はポリアミド樹脂（共重合タイプのナイロン樹脂）が用いられ、溶剤としてメタノール、エタノール、プロパノールおよびこれらの混合物が用いられる。つぎに炭粉末は、カシやナラ等の木から作られる木炭を微粉末にしたもので、姥女樫（ウバメガシ）の木を９００〜１４００度位の高温で焼いた備長炭を代表とする白炭と、ナラやクヌギや赤松の木を４００〜６００度位で焼いて作られる黒炭が使用される。白炭は空気の浄化作用、電磁波吸着作用および炭から発生するマイナス電子が空気中の水分に触れることでマイナス帯電電子（マイナスイオン）となって酸化抑制作用に、黒炭は吸湿による調湿・抗菌・防虫作用に特に優れていることが知られている。木炭は多孔質であり粉末化が容易なので１０〜３０μｍの微粉末を得ることができる。そしてこれら両者を混合した木炭は、アンモニアやホルムアルデヒド等の悪臭および不快臭を吸着分解する脱臭作用、居室空気中のプラスイオンを吸着しマイナスイオンを放出してマイナスイオン濃度を高めたり、調湿等で空気の浄化をする浄化作用、家電製品から発生する電磁波も吸収する除去作用等多くの特性を備えることになるのでこれらを考慮して白炭と黒炭の配合比を任意に設定すればよい。
【００１３】
本発明の遮熱シートでは、上記したポリアミド樹脂に１０〜３０μｍの微粉末化され、白炭と黒炭が５０％づつ配合された木炭粉末を塗料に対して１０〜３０％混合した炭塗料組成物を使用している。この炭塗料組成物を不織布４に刷毛やローラ等にて１〜２回塗布して炭塗料組成物層６を形成している。なお木炭粉末の混合割合は塗料に対して５０％位までは実用的である。
【００１４】
次に上記した遮熱シートの耐熱性能について説明する。遮熱シートのアルミニウムシート又はアルミニウム箔１の面に４５０Ｗと９００Ｗの切替え式電熱器を３０ｃｍ離間して対向配置させ、常温室内にて遮熱シートの表面Ａと炭塗料組成物層６表面の裏面Ｂとの温度をそれぞれ計測した。結果を下表に示す。
2008068465.tif 000003
４５０Ｗでの加熱時では、３０分経過で遮熱シート裏面Ｂの温度は０．８度しか上昇しなかった。そこで３５分経過時に電熱器を９００Ｗに切替えて継続計測したが、４０分経過時の２５．４度から６０分経過時の２６．１度の温度上昇差は０．７度であった。このことからも本発明の遮熱シートは、極めて薄く形成されているにも拘わらず遮熱あるいは断熱作用に優れた効果を有することが理解できる。
【図面の簡単な説明】
【００１５】
【図１】本発明の遮熱シートの断面図
【符号の説明】
【００１６】
１  アルミニウムシート又はアルミニウム箔
２  支持シート
３  接着剤
４  不織布
５  接着剤
６  炭塗料組成物層
【図１】
2008068465.tif 000004
【手続補正書】
【提出日】平成19年6月15日(2007.6.15)
【手続補正１】
【補正対象書類名】特許請求の範囲
【補正対象項目名】請求項１
【補正方法】変更
【補正の内容】
【請求項１】
アルミニウムシート又はアルミニウム箔に不織布を補強支持する支持シートと不織布を積層し、さらに炭粉体を含有する塗料組成物層をこの順に配設したことを特徴とする遮熱シート。